【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
ワイヤライン通信システムのカスタマ構内環境中の装置において、
前記ワイヤライン通信システムのデータ信号を受信するように結合されている一次センサと、
前記カスタマ構内環境中の送電本線から発生するノイズソース干渉に対応する送電線信号を受信するように結合されている送電線センサとを具備し、
前記送電線センサは、前記ノイズソース干渉を特徴付けるために、前記一次センサとともに使用される装置。
【請求項２】
前記前記ワイヤライン通信システムは、デジタル加入者線（ＤＳＬ）システム、マルチメディアオーバ同軸ケーブル（ＣＯＡＸ）システム、ホーム電話線ネットワーキングアライアンス（ＨＰＮＡ）ベースネットワーク、または、国際電気通信ユニオン（ＩＴＵ）電話通信ホームネットワーク標準規格（ＩＴＵ−Ｔ  Ｇ．ｈｎ）ベースネットワークである請求項１記載の装置。
【請求項３】
電源ユニットをさらに具備し、前記送電線信号は、前記電源ユニットから生じる、請求項１記載の装置。
【請求項４】
前記送電線センサは、前記送電本線に結合されている外部プローブを含む請求項１記載の装置。
【請求項５】
前記送電線信号は、前記送電本線の、ホットワイヤとニュートラルワイヤ、ニュートラルワイヤとグラウンドワイヤ、および、ホットワイヤとグラウンドワイヤ、のうちの１つまたは複数の組合せから生じる請求項１記載の装置。
【請求項６】
前記送電線信号は、前記送電本線の、ホットワイヤとニュートラルワイヤとの間の差動モード信号と、ホットワイヤとニュートラルワイヤとグラウンドワイヤと間のコモンモード信号とのうちの１つまたは複数を含む請求項１記載の装置。
【請求項７】
前記送電線信号を使用して、前記データ信号に影響を与えるノイズをキャンセルするように適応されているキャンセラをさらに具備する請求項１記載の装置。
【請求項８】
前記キャンセラは、線形的に重み付けられた総和として、前記一次センサと前記送電線センサからの出力の組み合わせを使用して、キャンセルを実行するように構成されている請求項７記載の装置。
【請求項９】
前記キャンセラは、前記データ信号と前記送電線信号とに適応線形フィルタリングを実行するように構成されているデジタル信号プロセッサを含む請求項７記載の装置。
【請求項１０】
前記ワイヤライン通信システムは、マルチトーンシステムであり、前記キャンセラは、周波数領域において、トーン毎ベースで動作するように構成されている請求項７記載の装置。
【請求項１１】
前記キャンセラは、二次センサを使用して実行される別のキャンセル処理を補足するために動作するように構成されている請求項７記載の装置。
【請求項１２】
前記キャンセラのうちの１つからの出力を条件付きで選択するセレクタをさらに具備する請求項１１記載の装置。
【請求項１３】
前記送電線センサは、前記カスタマ構内環境中のノイズおよびそのソースを、ならびに、前記ワイヤライン通信システムにおける関係するインパクトを特徴付けるために、他のセンサと連携して使用される請求項１記載の装置。
【請求項１４】
前記一次センサ、前記送電線センサ、および二次コモンモードセンサを使用して特徴付けが実行される請求項１３記載の装置。
【請求項１５】
特徴付けは、前記一次センサ、前記送電線センサ、および二次コモンモードセンサのうちの少なくとも２つの間のカップリングを決定することを含む請求項１３記載の装置。
【請求項１６】
前記特徴付けは、前記センサにおけるノイズソース電力と、前記センサ間のノイズ相関とを推定することによって実行される請求項１３記載の装置。
【請求項１７】
前記ノイズソースの数および相対位置の決定は、前記特徴付けに少なくとも部分的に基づいている請求項１６記載の装置。
【請求項１８】
ワイヤライン通信システムのカスタマ構内環境中の装置において、
前記ワイヤライン通信システムのデータ信号を受信するように結合されている一次センサと、
前記データ信号にインパクトを与え、前記カスタマ構内環境中の送電本線から発生するノイズに対応する送電線信号を受信するように結合されている送電線センサと、
前記受信されたデータ信号と前記受信された送電線信号とに少なくとも部分的に基づいて、前記ノイズの特徴付けを実行する組み込まれたノイズ分析エンジンとを具備する装置。
【請求項１９】
前記ワイヤライン通信システムを使用する前記装置への送信および前記装置からの送信がサービスされていない間に、前記組み込まれたノイズ分析エンジンは、前記ノイズに関する情報を収集する請求項１８記載の装置。
【請求項２０】
前記ワイヤライン通信システムを使用する前記装置への送信および前記装置からの送信がサービスされている間に、前記組み込まれたノイズ分析エンジンは、前記ノイズに関する情報を収集する請求項１８記載の装置。
【手続補正２】
【補正対象書類名】明細書
【補正対象項目名】００６３
【補正方法】変更
【補正の内容】
【００６３】
本発明は、その好適な実施形態に関して特に記載されているが、形態および詳細における変更および修正が、本発明の精神および範囲から逸脱することなくなされ得ることが当業者に容易に明らかになるべきである。添付された特許請求の範囲は、そのような変更および修正を包含していることが意図される。
以下に、本願出願の当初の特許請求の範囲に記載された発明を付記する。
［１］  ワイヤライン通信システムのカスタマ構内環境における装置であって、
前記ワイヤライン通信システムのデータ信号を受信するために結合された一次センサと、
前記カスタマ構内環境における送電本線から発生するノイズソース干渉に対応する送電線信号を受信するために結合された送電線センサと、
を備える装置。
［２］  前記ワイヤライン通信システムはＤＳＬシステムである、［１］に記載の装置。
［３］  前記ワイヤライン通信システムは同軸ワイヤラインシステムであり、前記同軸ワイヤラインシステムは、マルチメディアオーバＣＯＡＸ、ＨＰＮＡ、およびＩＴＵ−Ｔ  Ｇ．ｈｎである、［１］に記載の装置。
［４］  電源ユニットをさらに備え、前記送電線信号は、前記電源ユニットから生じる、［１］に記載の装置。
［５］  前記送電線センサは、前記送電本線に結合している外部プローブを含む、［１］に記載の装置。
［６］  前記送電線センサは、他の任意の二次センサを排除して前記ノイズソース干渉を特徴付けるために、前記一次センサとともに使用される、［１］に記載の装置。
［７］  前記送電線センサは、他の二次センサと連携して前記ノイズソース干渉を特徴付けるために、前記一次センサとともに使用される、［１］に記載の装置。
［８］  前記他の二次センサは、前記データ信号を受信するために結合されていない差動センサ、ファントムモードセンサ、およびコモンモードセンサのうちの１つまたは複数を含む、［７］に記載の装置。
［９］  前記送電線信号は、前記送電本線のホットワイヤとグラウンドワイヤ、ニュートラルワイヤとグラウンドワイヤ、および、ホットワイヤとニュートラルワイヤ、のうちの１つまたは複数の組合せから生じる、［１］に記載の装置。
［１０］  前記送電線信号は、前記送電本線のホットワイヤ、ニュートラルワイヤ、およびグラウンドワイヤの間のＣＭ信号と、ホットワイヤおよびニュートラルワイヤの間のＤＭ信号、のうちの１つまたは複数を備える、［１］に記載の装置。
［１１］  前記送電線信号を用いて、前記データ信号に影響を与えるノイズをキャンセルするように適応されたキャンセラ、をさらに備える［１］に記載の装置。
［１２］  前記キャンセラは、前記データ信号および送電線信号に適応線形フィルタリングを実行するデジタル信号プロセッサを含む、［１１］に記載の装置。
［１３］  前記ワイヤライン通信システムは、マルチトーンシステムであり、前記キャンセラは、周波数領域において、トーン毎ベースで動作する、［１１］に記載の装置。
［１４］  前記キャンセラは、第３のセンサを用いて実行される別のキャンセル処理を補足するように動作する、［１１］に記載の装置。
［１５］  前記キャンセラのうちの１つの出力を条件付きで選択するセレクタ、をさらに備える［１４］に記載の装置。
［１６］  個々のセンサの組合せ出力を、線形的に重み付けられた総和として用いてキャンセル処理が実行される、［７］に記載の装置。
［１７］  前記送電線センサは、前記カスタマ構内環境におけるノイズおよびそのソース、ならびに、前記ワイヤライン通信システムにおけるインパクトを特徴付けるために、他のセンサと連携して使用される、［１］に記載の装置。
［１８］  少なくとも、前記一次センサ、前記送電線センサ、および二次コモンモードセンサを用いて特徴付けが実行される、［１７］に記載の装置。
［１９］  特徴付けは、前記一次センサ、前記送電線センサ、および二次コモンモードセンサのうちの少なくとも２つの間のカップリングを判定することを含む、［１７］に記載の装置。
［２０］  前記特徴付けは、前記センサにおけるノイズソース電力と、前記センサ間のノイズ相関とを推定することによって実行される、［１７］に記載の装置。
［２１］  前記ノイズソースの数および相対位置の判定が、前記特徴付けに基づく、［２０］に記載の装置。
［２２］  ワイヤライン通信システムのカスタマ構内環境における装置であって、
前記ワイヤライン通信システムのデータ信号を受信するために結合された一次センサと、
前記データ信号を受信するために結合されておらず、前記データ信号にインパクトを与えるノイズに対応する二次信号を受信するために結合された二次センサと、
前記受信された信号に関する情報を、前記センサから収集し、前記情報に基づいて、前記ノイズの分類を実行する、組み込まれたノイズ分析エンジンと、
を備える装置。
［２３］  前記二次センサは、コモンモードセンサおよび送電線センサのうちの１つである、［２２］に記載の装置。
［２４］  前記ワイヤライン通信システムを用いた前記装置への送信、および前記装置からの送信がサービスされていない間に、前記組み込まれたノイズ分析エンジンは、前記ノイズに関する情報を収集する、［２２］に記載の装置。
［２５］  前記ワイヤライン通信システムを用いた前記装置への送信、および前記装置からの送信がサービスされている間に、前記組み込まれたノイズ分析エンジンは、前記ノイズに関する情報を収集する、［２２］に記載の装置。